(57)【要約】      （修正有）【課題】被取付対象へのモニターの取り付け及び電気的接続を容易化する家庭監視セキュリティ設備を提供する。【解決手段】本発明の家庭監視セキュリティ設備は、壁に固定的に取り付けられる取付軸組１００と前記取付軸組と嵌合するように結合し接続されるモニターを含み、前記取付軸組の前側端面に第一滑り接続筐体１２２が設置され、モニターのプラグが前記第一滑り接続筐体に滑り接続台が可動なように結合し取り付けられる構成。【選択図】図１
2019140078.tif 000002
【特許請求の範囲】
【請求項１】
家庭監視セキュリティ設備であって、壁に固定的に取り付けられる取付軸組と前記取付軸組と嵌合するように結合し接続されるモニターを含み、前記取付軸組の前側端面に第一滑り接続筐体が設置され、前記第一滑り接続筐体に滑り接続台が可動なように結合し取り付けられ、前記滑り接続台の前側端面に容置筐体が設置され、前記容置筐体の後側内壁に前記滑り接続台の後側端面を通り抜ける第一通筐体が設置され、前記容置筐体の左右両側の内壁に前記滑り接続台の左右両側の端面を通り抜ける第二通筐体が設置され、前記第一通筐体の左右両側の前記滑り接続台の後側端面に第一押しばねくぎが固定的に取り付けられ、前記第一押しばねくぎの後側端面は前記第一滑り接続筐体の後側壁と固定的に接続され、前記第一滑り接続筐体の後側内壁に前記第一通筐体と対応する信号輸送筐体が設置され、前記信号輸送筐体の左右両側の内壁に対等に第二滑り接続筐体が設置され、前記第二滑り接続筐体にバッフルが可動なように結合し取り付けられ、前記第二滑り接続筐体の後側内壁に伝導筐体が設置され、前記伝導筐体に伝導ブロックが可動なように結合し取り付けられ、前記伝導ブロックの外側端面の前記伝導筐体に第二押しばねくぎが押圧するように結合し取り付けられ、前記第二滑り接続筐体の外側内壁に後に拡張し設置される制限筐体が設置され、前記制限筐体にカードブロックが可動なように結合し取り付けられ、前記カードブロックの前側端面にプーリーが回転可能なように結合し取り付けられ、前記バッフルの右側端面にケーブルが固定的に取り付けられ、前記ケーブルが前記プーリーを迂回し前記カードブロックの前側端面と固定的に接続し、前記滑り接続台の後側端面に前記制限筐体と対応して設置される押し滑り軸が固定的に取り付けられ、前記第一滑り接続筐体の左右両側の壁に対等にロック装置が設置され、前記モニターの後側端面に前記容置筐体と嵌合するように結合し接続されるプラグが固定的に取り付けられ、前記プラグの左右両側に前記第二通筐体と対応して設置されるロック穴が対等に設置され、前記プラグの後側端面に信号輸送端が固定的に取り付けられ、前記プラグの後側端面の前記信号輸送端が前記第一通筐体と対応して設置され、前記ロック装置は前記第一滑り接続筐体の左右両側の内壁に左右に対等に設置され後に拡張し設置される第三滑り接続筐体を含み、前記第三滑り接続筐体に滑り接続板が可動なように結合し取り付けられ、前記滑り接続板の内側端面の前側位置に前記第二通筐体と対応して設置されるロックブロックが設置され、前記第一滑り接続筐体の後側の前記滑り接続板にスクリューがねじで結合し取り付けられ、前記スクリューの外側拡張末端が前記第三滑り接続筐体の外側内壁と回転可能なように結合し接続し、前記スクリューの内側拡張段が前記取付軸組の内壁体の隙間と結合し接続され末端に電気回転機械が動力が伝達可能なように結合し取り付けられ、前記電気回転機械が前記取付軸組の内壁体に固定的に取り付けられ、前記フルートが前記電気回転機械と電気的に接続され、前記プラグの後側端面の周りに斜辺面が設置され、前記電気回転機械の左右両側の前記スクリューがねじで逆に設置されることを特徴とする家庭監視セキュリティ設備。
【発明の詳細な説明】
【技術分野】
【０００１】
本発明はセキュリティ設備の分野に関し、家庭監視セキュリティ設備である。
【背景技術】
【０００２】
現在の家庭用モニターの取り付けステップが複雑で、取り外しメンテナンスが不便である。
【先行技術文献】
【特許文献】
【０００３】
【特許文献１】中国特許出願公開第103226338号明細書
【発明の概要】
【発明が解決しようとする課題】
【０００４】
本発明は解決する必要な技術問題に対して家庭監視セキュリティ設備を提供し、それは上記の現在の技術の問題を解決できる。
【０００５】
本発明は以下の技術方案を通じて実現する。本発明の家庭監視セキュリティ設備は壁に固定的に取り付けられる取付軸組と前記取付軸組と嵌合するように結合し接続されるモニターを含み、前記取付軸組の前側端面に第一滑り接続筐体が設置され、前記第一滑り接続筐体に滑り接続台が可動なように結合し取り付けられ、前記滑り接続台の前側端面に容置筐体が設置され、前記容置筐体の後側内壁に前記滑り接続台の後側端面を通り抜ける第一通筐体が設置され、前記容置筐体の左右両側の内壁に前記滑り接続台の左右両側の端面を通り抜ける第二通筐体が設置され、前記第一通筐体の左右両側の前記滑り接続台の後側端面に第一押しばねくぎが固定的に取り付けられ、前記第一押しばねくぎの後側端面は前記第一滑り接続筐体の後側壁と固定的に接続され、前記第一滑り接続筐体の後側内壁に前記第一通筐体と対応する信号輸送筐体が設置され、前記信号輸送筐体の左右両側の内壁に対等に第二滑り接続筐体が設置され、前記第二滑り接続筐体にバッフルが可動なように結合し取り付けられ、前記第二滑り接続筐体の後側内壁に伝導筐体が設置され、前記伝導筐体に伝導ブロックが可動なように結合し取り付けられ、前記伝導ブロックの外側端面の前記伝導筐体に第二押しばねくぎが押圧するように結合し取り付けられ、前記第二滑り接続筐体の外側内壁に後に拡張し設置される制限筐体が設置され、前記制限筐体にカードブロックが可動なように結合し取り付けられ、前記カードブロックの前側端面にプーリーが回転可能なように結合し取り付けられ、前記バッフルの右側端面にケーブルが固定的に取り付けられ、前記ケーブルが前記プーリーを迂回し前記カードブロックの前側端面と固定的に接続し、前記滑り接続の後側端面に前記制限筐体と対応して設置される押し滑り軸が固定的に取り付けられ、前記第一滑り接続筐体の左右両側の壁に対等にロック装置が設置され、前記モニターの後側端面に前記容置筐体と嵌合するように結合し接続されるプラグが固定的に取り付けられ、前記プラグの左右両側に前記第二通筐体と対応して設置されるロック穴が対等に設置され、前記プラグの後側端面に信号輸送端が固定的に取り付けられ、前記プラグの後側端面の前記信号輸送端が前記第一通筐体と対応して設置する。
【０００６】
好ましい技術方案として前記ロック装置は前記第一滑り接続筐体の左右両側の内壁に左右に対等に設置され後に拡張し設置される第三滑り接続筐体を含み、前記第三滑り接続筐体に滑り接続板が可動なように結合し取り付けられ、前記滑り接続板の内側端面の前側位置に前記第二通筐体と対応して設置されるロックブロックが設置され、前記第一滑り接続筐体の後側の前記滑り接続板にスクリューがねじで結合し取り付けられ、前記スクリューの外側拡張末端が前記第三滑り接続筐体の外側内壁と回転可能なように結合し接続し、前記スクリューの内側拡張段が前記取付軸組の内壁体の隙間と結合し接続され末端に電気回転機械が動力が伝達可能なように結合し取り付けられ、前記電気回転機械が前記取付軸組の内壁体に固定的に取り付けられる。
【０００７】
好ましい技術方案として前記滑り接続台の後側端面に規制機が固定的に取り付けられ、前記第一滑り接続筐体の後側内壁に前記規制機と対応して設置されるフルートが設置され、前記フルートが前記電気回転機械と電気的に接続する。
【０００８】
好ましい技術方案として前記プラグの後側端面の周りに斜辺面が設置される。
【０００９】
好ましい技術方案として前記電気回転機械の左右両側の前記スクリューがねじで逆に設置される。
【発明の効果】
【００１０】
本発明の構造が簡単で、操作が便利で、モニターを容置筐体にしっかりロックでき、意外なタッチでデータの受信と輸送を中断することを防ぎ、モニターの使用安全性と安定性を有効的に高めて、また自動ロックを通じて使用の便利性を大きく増やして、モニターを引き抜く時、信号輸送筐体が自動的に閉じて、ほこりと水が信号輸送腔に入ることを防ぐ。
【図面の簡単な説明】
【００１１】
【図１】図１は本発明の容置筐体の内部全体構造概略図である。
【図２】図２は本発明のモニター内部全体構造概略図である。
【図３】図３は図１の中のA所の拡大構造概略図である。
【図４】図４は図１の中の底面構造概略図である。
【発明を実施するための形態】
【００１２】
説明しやすいため、本発明は以下の具体的な実施例と図面を交え詳しく説明する。
【００１３】
図１−図４のように、本発明の家庭監視セキュリティ設備は壁300に固定的に取り付けられる取付軸組100と前記取付軸組100と嵌合するように結合し接続されるモニター200を含み、前記取付軸組100の前側端面に第一滑り接続筐体122が設置され、前記第一滑り接続筐体122に滑り接続台118が可動なように結合し取り付けられて、前記滑り接続台118の前側端面に容置筐体116が設置され、前記容置筐体116の後側内壁に前記滑り接続台118の後側端面を通り抜ける第一通筐体117が設置され、前記容置筐体116の左右両側の内壁に前記滑り接続台118の左右両側の端面を通り抜ける第二通筐体115が設置され、前記第一通筐体117の左右両側の前記滑り接続台118の後側端面に第一押しばねくぎ147が固定的に取り付けられ、前記第一押しばねくぎ147の後側端面は前記第一滑り接続筐体122の後側壁と固定的に接続され、前記第一滑り接続筐体122の後側内壁に前記第一通筐体117と対応する信号輸送筐体132が設置され、前記信号輸送筐体132の左右両側の内壁に対等に第二滑り接続筐体145が設置され、前記第二滑り接続筐体145にバッフル131が可動なように結合し取り付けられ、前記第二滑り接続筐体145の後側内壁に伝導筐体134が設置され、前記伝導筐体134に伝導ブロック133が可動なように結合し取り付けられ、前記伝導ブロック133の外側端面の前記伝導筐体134に第二押しばねくぎ135が押圧するように結合し取り付けられ、前記第二滑り接続筐体145の外側内壁に後に拡張し設置される制限筐体141が設置され、前記制限筐体141にカードブロック142が可動なように結合し取り付けられ、前記カードブロック142の前側端面にプーリー134が回転可能なように結合し取り付けられ、前記バッフル131の右側端面にケーブル144が固定的に取り付けられ、前記ケーブル144が前記プーリー134を迂回し前記カードブロック142の前側端面と固定的に接続し、前記滑り接続台118の後側端面に前記制限筐体141と対応して設置される押し滑り軸146が固定的に取り付けられ、前記第一滑り接続筐体122の左右両側の壁に対等にロック装置が設置され、前記モニター200の後側端面に前記容置筐体116と嵌合するように結合し接続されるプラグ213が固定的に取り付けられ、前記プラグ213の左右両側に前記第二通筐体115と対応して設置されるロック穴211が対等に設置され、前記プラグ213の後側端面に信号輸送端212が固定的に取り付けられ、前記プラグ213の後側端面の前記信号輸送端212が前記第一通筐体117と対応して設置する。
【００１４】
好ましくは前記ロック装置は前記第一滑り接続筐体122の左右両側の内壁に左右に対等に設置され後に拡張し設置される第三滑り接続筐体113を含み、前記第三滑り接続筐体113に滑り接続板112が可動なように結合し取り付けられ、前記滑り接続板112の内側端面の前側位置に前記第二通筐体115と対応して設置されるロックブロック114が設置され、前記第一滑り接続筐体122の後側の前記滑り接続板112にスクリュー111がねじで結合し取り付けられ、前記スクリュー111の外側拡張末端が前記第三滑り接続筐体113の外側内壁と回転可能なように結合し接続し、前記スクリュー111の内側拡張段が前記取付軸組100の内壁体の隙間と結合し接続され末端に電気回転機械124が動力が伝達可能なように結合し取り付けられ、前記電気回転機械124が前記取付軸組100の内壁体に固定的に取り付けられ、これにより自動的に前記モニター200をしっかりロックする。
【００１５】
好ましくは前記滑り接続台118の後側端面に規制機121が固定的に取り付けられ、前記第一滑り接続筐体122の後側内壁に前記規制機121と対応して設置されるフルート123が設置され、前記フルート123が前記電気回転機械124と電気的に接続し、これにより前記規制機121が前記フルート123に入った後自動的に前記電気回転機械124を起動する。
【００１６】
好ましくは前記プラグ213の後側端面の周りに斜辺面214が設置され、これによりプラグ213が前記容置筐体116の中に挿し込むことが便利である。
【００１７】
好ましくは前記電気回転機械124の左右両側の前記スクリュー111がねじで逆に設置され、これにより前記滑り接続板112を同時に内また外にスライドすることを制御する。
【００１８】
本発明の有益な効果は、構造が簡単で、操作が便利で、モニターを容置筐体にしっかりロックでき、意外なタッチでデータの受信と輸送を中断することを防ぎ、モニターの使用安全性と安定性を有効的に高めて、また自動ロックを通じて使用の便利性を大きく増やして、モニターを引き抜く時、信号輸送筐体が自動的に閉じて、ほこりと水が信号輸送腔に入ることを防ぐ。
【００１９】
以上、本発明の具体的な実施方式についてのみ説明したが、本発明の保護範囲はこれに限定されるものではなく、いかなる創造性労働によらない考えられた変化や交替は、全て本発明の保護範囲の中に属する。したがって、本発明の保護範囲は特許請求の範囲に規定されている保護範囲を基準としなければならない。
【図１】
2019140078.tif 000003
【図２】
2019140078.tif 000004
【図３】
2019140078.tif 000005
【図４】
2019140078.tif 000006
【手続補正書】
【提出日】平成30年10月29日(2018.10.29)
【手続補正１】
【補正対象書類名】特許請求の範囲
【補正対象項目名】全文
【補正方法】変更
【補正の内容】
【特許請求の範囲】
【請求項１】
家庭監視セキュリティ設備であって、壁に固定的に取り付けられる取付軸組と前記取付軸組と嵌合するように結合し接続されるモニターを含み、前記取付軸組の前側端面に第一滑り接続筐体が設置され、前記第一滑り接続筐体に滑り接続台が可動なように結合し取り付けられ、前記滑り接続台の前側端面に容置筐体が設置され、前記容置筐体の後側内壁に前記滑り接続台の後側端面を通り抜ける第一通筐体が設置され、前記容置筐体の左右両側の内壁に前記滑り接続台の左右両側の端面を通り抜ける第二通筐体が設置され、前記第一通筐体の左右両側の前記滑り接続台の後側端面に第一押しばねが固定的に取り付けられ、前記第一押しばねの後側端面は前記第一滑り接続筐体の後側壁と固定的に接続され、前記第一滑り接続筐体の後側内壁に前記第一通筐体と対応する信号輸送筐体が設置され、前記信号輸送筐体の左右両側の内壁に対等に第二滑り接続筐体が設置され、前記第二滑り接続筐体にバッフルが可動なように結合し取り付けられ、前記第二滑り接続筐体の後側内壁に伝導筐体が設置され、前記伝導筐体に伝導ブロックが可動なように結合し取り付けられ、前記伝導ブロックの外側端面の前記伝導筐体に第二押しばねが押圧するように結合し取り付けられ、前記第二滑り接続筐体の外側内壁に後に拡張し設置される制限筐体が設置され、前記制限筐体に引掛りブロックが可動なように結合し取り付けられ、前記引掛りブロックの前側端面にプーリーが回転可能なように結合し取り付けられ、前記バッフルの右側端面にケーブルが固定的に取り付けられ、前記ケーブルが前記プーリーを迂回し前記引掛りブロックの前側端面と固定的に接続し、前記滑り接続台の後側端面に前記制限筐体と対応して設置される押し滑り軸が固定的に取り付けられ、前記第一滑り接続筐体の左右両側の壁に対等にロック装置が設置され、前記モニターの後側端面に前記容置筐体と嵌合するように結合し接続されるプラグが固定的に取り付けられ、前記プラグの左右両側に前記第二通筐体と対応して設置されるロック穴が対等に設置され、前記プラグの後側端面に信号輸送端が固定的に取り付けられ、前記プラグの後側端面の前記信号輸送端が前記第一通筐体と対応して設置され、前記ロック装置は前記第一滑り接続筐体の左右両側の内壁に左右に対等に設置され後に拡張し設置される第三滑り接続筐体を含み、前記第三滑り接続筐体に滑り接続板が可動なように結合し取り付けられ、前記滑り接続板の内側端面の前側位置に前記第二通筐体と対応して設置されるロックブロックが設置され、前記第一滑り接続筐体の後側の前記滑り接続板にスクリューがねじで結合し取り付けられ、前記スクリューの外側拡張末端が前記第三滑り接続筐体の外側内壁と回転可能なように結合し接続し、前記スクリューの内側拡張段が前記取付軸組の内壁体の隙間と結合し接続され末端に電気回転機械が動力が伝達可能なように結合し取り付けられ、前記電気回転機械が前記取付軸組の内壁体に固定的に取り付けられ、前記滑り接続台の後側端面には規制機が固定に取り付けられ、前記第一滑り接続筐体の後側内壁には前記規制機と相対に設置されるフルートが設置され、前記フルートが前記電気回転機械と電気的に接続され、前記プラグの後側端面の周りに斜辺面が設置され、前記電気回転機械の左右両側の前記スクリューがねじで逆に設置されることを特徴とする家庭監視セキュリティ設備。
【手続補正２】
【補正対象書類名】明細書
【補正対象項目名】全文
【補正方法】変更
【補正の内容】
【発明の詳細な説明】
【技術分野】
【０００１】
本発明はセキュリティ設備の分野に関し、家庭監視セキュリティ設備である。
【背景技術】
【０００２】
現在の家庭用モニターの取り付けステップが複雑で、取り外しメンテナンスが不便である。
【先行技術文献】
【特許文献】
【０００３】
【特許文献１】中国特許出願公開第103226338号明細書
【発明の概要】
【発明が解決しようとする課題】
【０００４】
本発明は解決する必要な技術問題に対して家庭監視セキュリティ設備を提供し、それは上記の現在の技術の問題を解決できる。
【０００５】
本発明は以下の技術方案を通じて実現する。本発明の家庭監視セキュリティ設備は壁に固定的に取り付けられる取付軸組と前記取付軸組と嵌合するように結合し接続されるモニターを含み、前記取付軸組の前側端面に第一滑り接続筐体が設置され、前記第一滑り接続筐体に滑り接続台が可動なように結合し取り付けられ、前記滑り接続台の前側端面に容置筐体が設置され、前記容置筐体の後側内壁に前記滑り接続台の後側端面を通り抜ける第一通筐体が設置され、前記容置筐体の左右両側の内壁に前記滑り接続台の左右両側の端面を通り抜ける第二通筐体が設置され、前記第一通筐体の左右両側の前記滑り接続台の後側端面に第一押しばねが固定的に取り付けられ、前記第一押しばねの後側端面は前記第一滑り接続筐体の後側壁と固定的に接続され、前記第一滑り接続筐体の後側内壁に前記第一通筐体と対応する信号輸送筐体が設置され、前記信号輸送筐体の左右両側の内壁に対等に第二滑り接続筐体が設置され、前記第二滑り接続筐体にバッフルが可動なように結合し取り付けられ、前記第二滑り接続筐体の後側内壁に伝導筐体が設置され、前記伝導筐体に伝導ブロックが可動なように結合し取り付けられ、前記伝導ブロックの外側端面の前記伝導筐体に第二押しばねが押圧するように結合し取り付けられ、前記第二滑り接続筐体の外側内壁に後に拡張し設置される制限筐体が設置され、前記制限筐体に引掛りブロックが可動なように結合し取り付けられ、前記引掛りブロックの前側端面にプーリーが回転可能なように結合し取り付けられ、前記バッフルの右側端面にケーブルが固定的に取り付けられ、前記ケーブルが前記プーリーを迂回し前記引掛りブロックの前側端面と固定的に接続し、前記滑り接続の後側端面に前記制限筐体と対応して設置される押し滑り軸が固定的に取り付けられ、前記第一滑り接続筐体の左右両側の壁に対等にロック装置が設置され、前記モニターの後側端面に前記容置筐体と嵌合するように結合し接続されるプラグが固定的に取り付けられ、前記プラグの左右両側に前記第二通筐体と対応して設置されるロック穴が対等に設置され、前記プラグの後側端面に信号輸送端が固定的に取り付けられ、前記プラグの後側端面の前記信号輸送端が前記第一通筐体と対応して設置する。
【０００６】
好ましい技術方案として前記ロック装置は前記第一滑り接続筐体の左右両側の内壁に左右に対等に設置され後に拡張し設置される第三滑り接続筐体を含み、前記第三滑り接続筐体に滑り接続板が可動なように結合し取り付けられ、前記滑り接続板の内側端面の前側位置に前記第二通筐体と対応して設置されるロックブロックが設置され、前記第一滑り接続筐体の後側の前記滑り接続板にスクリューがねじで結合し取り付けられ、前記スクリューの外側拡張末端が前記第三滑り接続筐体の外側内壁と回転可能なように結合し接続し、前記スクリューの内側拡張段が前記取付軸組の内壁体の隙間と結合し接続され末端に電気回転機械が動力が伝達可能なように結合し取り付けられ、前記電気回転機械が前記取付軸組の内壁体に固定的に取り付けられる。
【０００７】
好ましい技術方案として前記滑り接続台の後側端面に規制機が固定的に取り付けられ、前記第一滑り接続筐体の後側内壁に前記規制機と対応して設置されるフルートが設置され、前記滑り接続台の後側端面には規制機が固定に取り付けられ、前記第一滑り接続筐体の後側内壁には前記規制機と相対に設置されるフルートが設置され、前記フルートが前記電気回転機械と電気的に接続する。
【０００８】
好ましい技術方案として前記プラグの後側端面の周りに斜辺面が設置される。
【０００９】
好ましい技術方案として前記電気回転機械の左右両側の前記スクリューがねじで逆に設置される。
【発明の効果】
【００１０】
本発明の構造が簡単で、操作が便利で、モニターを容置筐体にしっかりロックでき、意外なタッチでデータの受信と輸送を中断することを防ぎ、モニターの使用安全性と安定性を有効的に高めて、また自動ロックを通じて使用の便利性を大きく増やして、モニターを引き抜く時、信号輸送筐体が自動的に閉じて、ほこりと水が信号輸送筐体に入ることを防ぐ。
【図面の簡単な説明】
【００１１】
【図１】図１は本発明の容置筐体の内部全体構造概略図である。
【図２】図２は本発明のモニター内部全体構造概略図である。
【図３】図３は図１の中のA所の拡大構造概略図である。
【図４】図４は図１の中の底面構造概略図である。
【発明を実施するための形態】
【００１２】
説明しやすいため、本発明は以下の具体的な実施例と図面を交え詳しく説明する。
【００１３】
図１−図４のように、本発明の家庭監視セキュリティ設備は壁300に固定的に取り付けられる取付軸組100と前記取付軸組100と嵌合するように結合し接続されるモニター200を含み、前記取付軸組100の前側端面に第一滑り接続筐体122が設置され、前記第一滑り接続筐体122に滑り接続台118が可動なように結合し取り付けられて、前記滑り接続台118の前側端面に容置筐体116が設置され、前記容置筐体116の後側内壁に前記滑り接続台118の後側端面を通り抜ける第一通筐体117が設置され、前記容置筐体116の左右両側の内壁に前記滑り接続台118の左右両側の端面を通り抜ける第二通筐体115が設置され、前記第一通筐体117の左右両側の前記滑り接続台118の後側端面に第一押しばね147が固定的に取り付けられ、前記第一押しばね147の後側端面は前記第一滑り接続筐体122の後側壁と固定的に接続され、前記第一滑り接続筐体122の後側内壁に前記第一通筐体117と対応する信号輸送筐体132が設置され、前記信号輸送筐体132の左右両側の内壁に対等に第二滑り接続筐体145が設置され、前記第二滑り接続筐体145にバッフル131が可動なように結合し取り付けられ、前記第二滑り接続筐体145の後側内壁に伝導筐体134が設置され、前記伝導筐体134に伝導ブロック133が可動なように結合し取り付けられ、前記伝導ブロック133の外側端面の前記伝導筐体134に第二押しばね135が押圧するように結合し取り付けられ、前記第二滑り接続筐体145の外側内壁に後に拡張し設置される制限筐体141が設置され、前記制限筐体141に引掛りブロック142が可動なように結合し取り付けられ、前記引掛りブロック142の前側端面にプーリー134が回転可能なように結合し取り付けられ、前記バッフル131の右側端面にケーブル144が固定的に取り付けられ、前記ケーブル144が前記プーリー134を迂回し前記引掛りブロック142の前側端面と固定的に接続し、前記滑り接続台118の後側端面に前記制限筐体141と対応して設置される押し滑り軸146が固定的に取り付けられ、前記第一滑り接続筐体122の左右両側の壁に対等にロック装置が設置され、前記モニター200の後側端面に前記容置筐体116と嵌合するように結合し接続されるプラグ213が固定的に取り付けられ、前記プラグ213の左右両側に前記第二通筐体115と対応して設置されるロック穴211が対等に設置され、前記プラグ213の後側端面に信号輸送端212が固定的に取り付けられ、前記プラグ213の後側端面の前記信号輸送端212が前記第一通筐体117と対応して設置する。
【００１４】
好ましくは前記ロック装置は前記第一滑り接続筐体122の左右両側の内壁に左右に対等に設置され後に拡張し設置される第三滑り接続筐体113を含み、前記第三滑り接続筐体113に滑り接続板112が可動なように結合し取り付けられ、前記滑り接続板112の内側端面の前側位置に前記第二通筐体115と対応して設置されるロックブロック114が設置され、前記第一滑り接続筐体122の後側の前記滑り接続板112にスクリュー111がねじで結合し取り付けられ、前記スクリュー111の外側拡張末端が前記第三滑り接続筐体113の外側内壁と回転可能なように結合し接続し、前記スクリュー111の内側拡張段が前記取付軸組100の内壁体の隙間と結合し接続され末端に電気回転機械124が動力が伝達可能なように結合し取り付けられ、前記電気回転機械124が前記取付軸組100の内壁体に固定的に取り付けられ、これにより自動的に前記モニター200をしっかりロックする。
【００１５】
好ましくは前記滑り接続台118の後側端面に規制機121が固定的に取り付けられ、前記第一滑り接続筐体122の後側内壁に前記規制機121と対応して設置されるフルート123が設置され、前記滑り接続台118の後側端面には規制機121が固定に取り付けられ、前記第一滑り接続筐体122の後側内壁には前記規制機121と相対に設置されるフルート123が設置され、前記フルート123が前記電気回転機械124と電気的に接続し、これにより前記規制機121が前記フルート123に入った後自動的に前記電気回転機械124を起動する。
【００１６】
好ましくは前記プラグ213の後側端面の周りに斜辺面214が設置され、これによりプラグ213が前記容置筐体116の中に挿し込むことが便利である。
【００１７】
好ましくは前記電気回転機械124の左右両側の前記スクリュー111がねじで逆に設置され、これにより前記滑り接続板112を同時に内また外にスライドすることを制御する。
【００１８】
本発明の有益な効果は、構造が簡単で、操作が便利で、モニターを容置筐体にしっかりロックでき、意外なタッチでデータの受信と輸送を中断することを防ぎ、モニターの使用安全性と安定性を有効的に高めて、また自動ロックを通じて使用の便利性を大きく増やして、モニターを引き抜く時、信号輸送筐体が自動的に閉じて、ほこりと水が信号輸送筐体に入ることを防ぐ。
【００１９】
以上、本発明の具体的な実施方式についてのみ説明したが、本発明の保護範囲はこれに限定されるものではなく、いかなる創造性労働によらない考えられた変化や交替は、全て本発明の保護範囲の中に属する。したがって、本発明の保護範囲は特許請求の範囲に規定されている保護範囲を基準としなければならない。
【手続補正書】
【提出日】令和1年5月3日(2019.5.3)
【手続補正１】
【補正対象書類名】特許請求の範囲
【補正対象項目名】全文
【補正方法】変更
【補正の内容】
【特許請求の範囲】
【請求項１】
家庭監視セキュリティ設備であって、壁に固定的に取り付けられる取付軸組と前記取付軸組と嵌合するように結合し接続されるモニターを含み、前記取付軸組の前側端面に第一滑り接続筐体が設置され、前記第一滑り接続筐体に滑り接続台が可動なように結合し取り付けられ、前記滑り接続台の前側端面に容置筐体が設置され、前記容置筐体の後側内壁に前記滑り接続台の後側端面を通り抜ける第一通筐体が設置され、前記容置筐体の左右両側の内壁に前記滑り接続台の左右両側の端面を通り抜ける第二通筐体が設置され、前記第一通筐体の左右両側の前記滑り接続台の後側端面に第一押しばねが固定的に取り付けられ、前記第一押しばねの後側端面は前記第一滑り接続筐体の後側壁と固定的に接続され、前記第一滑り接続筐体の後側内壁に前記第一通筐体と対応する信号輸送筐体が設置され、前記信号輸送筐体の左右両側の内壁に対称的に第二滑り接続筐体が設置され、前記第二滑り接続筐体にバッフルが可動なように結合し取り付けられ、前記第二滑り接続筐体の後側内壁に伝導筐体が設置され、前記伝導筐体に伝導ブロックが可動なように結合し取り付けられ、前記伝導ブロックの外側端面の前記伝導筐体に第二押しばねが押圧するように結合し取り付けられ、前記第二滑り接続筐体の外側内壁に後に拡張し設置される制限筐体が設置され、前記制限筐体に引掛りブロックが可動なように結合し取り付けられ、前記引掛りブロックの前側端面にプーリーが回転可能なように結合し取り付けられ、前記バッフルの右側端面にケーブルが固定的に取り付けられ、前記ケーブルが前記プーリーを迂回し前記引掛りブロックの前側端面と固定的に接続し、前記滑り接続台の後側端面に前記制限筐体と対応して設置される押し滑り軸が固定的に取り付けられ、前記第一滑り接続筐体の左右両側の壁に対称的にロック装置が設置され、前記モニターの後側端面に前記容置筐体と嵌合するように結合し接続されるプラグが固定的に取り付けられ、前記プラグの左右両側に前記第二通筐体と対応して設置されるロック穴が対称的に設置され、前記プラグの後側端面に信号輸送端が固定的に取り付けられ、前記プラグの後側端面の前記信号輸送端が前記第一通筐体と対応して設置され、前記ロック装置は前記第一滑り接続筐体の左右両側の内壁に左右に対称的に設置され後に拡張し設置される第三滑り接続筐体を含み、前記第三滑り接続筐体に滑り接続板が可動なように結合し取り付けられ、前記滑り接続板の内側端面の前側位置に前記第二通筐体と対応して設置されるロックブロックが設置され、前記第一滑り接続筐体の後側の前記滑り接続板にスクリューがねじで結合し取り付けられ、前記スクリューの外側拡張末端が前記第三滑り接続筐体の外側内壁と回転可能なように結合し接続し、前記スクリューの内側拡張段が前記取付軸組の内壁体の隙間と結合し接続され末端に電気回転機械が動力が伝達可能なように結合し取り付けられ、前記電気回転機械が前記取付軸組の内壁体に固定的に取り付けられ、前記滑り接続台の後側端面には規制機が固定に取り付けられ、前記第一滑り接続筐体の後側内壁には前記規制機と相対に設置されるフルートが設置され、前記フルートが前記電気回転機械と電気的に接続され、前記プラグの後側端面の周りに斜辺面が設置され、前記電気回転機械の左右両側の前記スクリューがねじで逆に設置されることを特徴とする家庭監視セキュリティ設備。
【手続補正２】
【補正対象書類名】明細書
【補正対象項目名】全文
【補正方法】変更
【補正の内容】
【発明の詳細な説明】
【技術分野】
【０００１】
本発明はセキュリティ設備の分野に関し、家庭監視セキュリティ設備である。
【背景技術】
【０００２】
現在の家庭用モニターの取り付けステップが複雑で、取り外しメンテナンスが不便である。
【先行技術文献】
【特許文献】
【０００３】
【特許文献１】中国特許出願公開第１０３２２６３３８号明細書
【発明の概要】
【発明が解決しようとする課題】
【０００４】
本発明は解決する必要な技術問題に対して家庭監視セキュリティ設備を提供し、それは上記の現在の技術の問題を解決できる。
【０００５】
本発明は以下の技術方案を通じて実現する。本発明の家庭監視セキュリティ設備は壁に固定的に取り付けられる取付軸組と前記取付軸組と嵌合するように結合し接続されるモニターを含み、前記取付軸組の前側端面に第一滑り接続筐体が設置され、前記第一滑り接続筐体に滑り接続台が可動なように結合し取り付けられ、前記滑り接続台の前側端面に容置筐体が設置され、前記容置筐体の後側内壁に前記滑り接続台の後側端面を通り抜ける第一通筐体が設置され、前記容置筐体の左右両側の内壁に前記滑り接続台の左右両側の端面を通り抜ける第二通筐体が設置され、前記第一通筐体の左右両側の前記滑り接続台の後側端面に第一押しばねが固定的に取り付けられ、前記第一押しばねの後側端面は前記第一滑り接続筐体の後側壁と固定的に接続され、前記第一滑り接続筐体の後側内壁に前記第一通筐体と対応する信号輸送筐体が設置され、前記信号輸送筐体の左右両側の内壁に対称的に第二滑り接続筐体が設置され、前記第二滑り接続筐体にバッフルが可動なように結合し取り付けられ、前記第二滑り接続筐体の後側内壁に伝導筐体が設置され、前記伝導筐体に伝導ブロックが可動なように結合し取り付けられ、前記伝導ブロックの外側端面の前記伝導筐体に第二押しばねが押圧するように結合し取り付けられ、前記第二滑り接続筐体の外側内壁に後に拡張し設置される制限筐体が設置され、前記制限筐体に引掛りブロックが可動なように結合し取り付けられ、前記引掛りブロックの前側端面にプーリーが回転可能なように結合し取り付けられ、前記バッフルの右側端面にケーブルが固定的に取り付けられ、前記ケーブルが前記プーリーを迂回し前記引掛りブロックの前側端面と固定的に接続し、前記滑り接続の後側端面に前記制限筐体と対応して設置される押し滑り軸が固定的に取り付けられ、前記第一滑り接続筐体の左右両側の壁に対称的にロック装置が設置され、前記モニターの後側端面に前記容置筐体と嵌合するように結合し接続されるプラグが固定的に取り付けられ、前記プラグの左右両側に前記第二通筐体と対応して設置されるロック穴が対称的に設置され、前記プラグの後側端面に信号輸送端が固定的に取り付けられ、前記プラグの後側端面の前記信号輸送端が前記第一通筐体と対応して設置する。
【０００６】
好ましい技術方案として前記ロック装置は前記第一滑り接続筐体の左右両側の内壁に左右に対称的に設置され後に拡張し設置される第三滑り接続筐体を含み、前記第三滑り接続筐体に滑り接続板が可動なように結合し取り付けられ、前記滑り接続板の内側端面の前側位置に前記第二通筐体と対応して設置されるロックブロックが設置され、前記第一滑り接続筐体の後側の前記滑り接続板にスクリューがねじで結合し取り付けられ、前記スクリューの外側拡張末端が前記第三滑り接続筐体の外側内壁と回転可能なように結合し接続し、前記スクリューの内側拡張段が前記取付軸組の内壁体の隙間と結合し接続され末端に電気回転機械が動力が伝達可能なように結合し取り付けられ、前記電気回転機械が前記取付軸組の内壁体に固定的に取り付けられる。
【０００７】
好ましい技術方案として前記滑り接続台の後側端面に規制機が固定的に取り付けられ、前記第一滑り接続筐体の後側内壁に前記規制機と対応して設置されるフルートが設置され、前記滑り接続台の後側端面には規制機が固定に取り付けられ、前記第一滑り接続筐体の後側内壁には前記規制機と相対に設置されるフルートが設置され、前記フルートが前記電気回転機械と電気的に接続する。
【０００８】
好ましい技術方案として前記プラグの後側端面の周りに斜辺面が設置される。
【０００９】
好ましい技術方案として前記電気回転機械の左右両側の前記スクリューがねじで逆に設置される。
【発明の効果】
【００１０】
本発明の構造が簡単で、操作が便利で、モニターを容置筐体にしっかりロックでき、意外なタッチでデータの受信と輸送を中断することを防ぎ、モニターの使用安全性と安定性を有効的に高めて、また自動ロックを通じて使用の便利性を大きく増やして、モニターを引き抜く時、信号輸送筐体が自動的に閉じて、ほこりと水が信号輸送筐体に入ることを防ぐ。
【図面の簡単な説明】
【００１１】
【図１】図１は本発明の容置筐体の内部全体構造概略図である。
【図２】図２は本発明のモニター内部全体構造概略図である。
【図３】図３は図１の中のＡ所の拡大構造概略図である。
【図４】図４は図１の中の底面構造概略図である。
【発明を実施するための形態】
【００１２】
説明しやすいため、本発明は以下の具体的な実施例と図面を交え詳しく説明する。
【００１３】
図１−図４のように、本発明の家庭監視セキュリティ設備は壁３００に固定的に取り付けられる取付軸組１００と前記取付軸組１００と嵌合するように結合し接続されるモニター２００を含み、前記取付軸組１００の前側端面に第一滑り接続筐体１２２が設置され、前記第一滑り接続筐体１２２に滑り接続台１１８が可動なように結合し取り付けられて、前記滑り接続台１１８の前側端面に容置筐体１１６が設置され、前記容置筐体１１６の後側内壁に前記滑り接続台１１８の後側端面を通り抜ける第一通筐体１１７が設置され、前記容置筐体１１６の左右両側の内壁に前記滑り接続台１１８の左右両側の端面を通り抜ける第二通筐体１１５が設置され、前記第一通筐体１１７の左右両側の前記滑り接続台１１８の後側端面に第一押しばね１４７が固定的に取り付けられ、前記第一押しばね１４７の後側端面は前記第一滑り接続筐体１２２の後側壁と固定的に接続され、前記第一滑り接続筐体１２２の後側内壁に前記第一通筐体１１７と対応する信号輸送筐体１３２が設置され、前記信号輸送筐体１３２の左右両側の内壁に対称的に第二滑り接続筐体１４５が設置され、前記第二滑り接続筐体１４５にバッフル１３１が可動なように結合し取り付けられ、前記第二滑り接続筐体１４５の後側内壁に伝導筐体１３４が設置され、前記伝導筐体１３４に伝導ブロック１３３が可動なように結合し取り付けられ、前記伝導ブロック１３３の外側端面の前記伝導筐体１３４に第二押しばね１３５が押圧するように結合し取り付けられ、前記第二滑り接続筐体１４５の外側内壁に後に拡張し設置される制限筐体１４１が設置され、前記制限筐体１４１に引掛りブロック１４２が可動なように結合し取り付けられ、前記引掛りブロック１４２の前側端面にプーリー１３４が回転可能なように結合し取り付けられ、前記バッフル１３１の右側端面にケーブル１４４が固定的に取り付けられ、前記ケーブル１４４が前記プーリー１３４を迂回し前記引掛りブロック１４２の前側端面と固定的に接続し、前記滑り接続台１１８の後側端面に前記制限筐体１４１と対応して設置される押し滑り軸１４６が固定的に取り付けられ、前記第一滑り接続筐体１２２の左右両側の壁に対称的にロック装置が設置され、前記モニター２００の後側端面に前記容置筐体１１６と嵌合するように結合し接続されるプラグ２１３が固定的に取り付けられ、前記プラグ２１３の左右両側に前記第二通筐体１１５と対応して設置されるロック穴２１１が対称的に設置され、前記プラグ２１３の後側端面に信号輸送端２１２が固定的に取り付けられ、前記プラグ２１３の後側端面の前記信号輸送端２１２が前記第一通筐体１１７と対応して設置する。
【００１４】
好ましくは前記ロック装置は前記第一滑り接続筐体１２２の左右両側の内壁に左右に対称的に設置され後に拡張し設置される第三滑り接続筐体１１３を含み、前記第三滑り接続筐体１１３に滑り接続板１１２が可動なように結合し取り付けられ、前記滑り接続板１１２の内側端面の前側位置に前記第二通筐体１１５と対応して設置されるロックブロック１１４が設置され、前記第一滑り接続筐体１２２の後側の前記滑り接続板１１２にスクリュー１１１がねじで結合し取り付けられ、前記スクリュー１１１の外側拡張末端が前記第三滑り接続筐体１１３の外側内壁と回転可能なように結合し接続し、前記スクリュー１１１の内側拡張段が前記取付軸組１００の内壁体の隙間と結合し接続され末端に電気回転機械１２４が動力が伝達可能なように結合し取り付けられ、前記電気回転機械１２４が前記取付軸組１００の内壁体に固定的に取り付けられ、これにより自動的に前記モニター２００をしっかりロックする。
【００１５】
好ましくは前記滑り接続台１１８の後側端面に規制機１２１が固定的に取り付けられ、前記第一滑り接続筐体１２２の後側内壁に前記規制機１２１と対応して設置されるフルート１２３が設置され、前記滑り接続台１１８の後側端面には規制機１２１が固定に取り付けられ、前記第一滑り接続筐体１２２の後側内壁には前記規制機１２１と相対に設置されるフルート１２３が設置され、前記フルート１２３が前記電気回転機械１２４と電気的に接続し、これにより前記規制機１２１が前記フルート１２３に入った後自動的に前記電気回転機械１２４を起動する。
【００１６】
好ましくは前記プラグ２１３の後側端面の周りに斜辺面２１４が設置され、これによりプラグ２１３が前記容置筐体１１６の中に挿し込むことが便利である。
【００１７】
好ましくは前記電気回転機械１２４の左右両側の前記スクリュー１１１がねじで逆に設置され、これにより前記滑り接続板１１２を同時に内また外にスライドすることを制御する。
【００１８】
本発明の有益な効果は、構造が簡単で、操作が便利で、モニターを容置筐体にしっかりロックでき、意外なタッチでデータの受信と輸送を中断することを防ぎ、モニターの使用安全性と安定性を有効的に高めて、また自動ロックを通じて使用の便利性を大きく増やして、モニターを引き抜く時、信号輸送筐体が自動的に閉じて、ほこりと水が信号輸送筐体に入ることを防ぐ。
【００１９】
以上、本発明の具体的な実施方式についてのみ説明したが、本発明の保護範囲はこれに限定されるものではなく、いかなる創造性労働によらない考えられた変化や交替は、全て本発明の保護範囲の中に属する。したがって、本発明の保護範囲は特許請求の範囲に規定されている保護範囲を基準としなければならない。
【手続補正書】
【提出日】令和1年6月12日(2019.6.12)
【手続補正１】
【補正対象書類名】特許請求の範囲
【補正対象項目名】請求項１
【補正方法】変更
【補正の内容】
【請求項１】
家庭監視セキュリティ設備であって、壁に固定的に取り付けられる取付軸組と前記取付軸組と嵌合するように結合し接続されるモニターを含み、前記取付軸組の前側端面に第一滑り接続筐体が設置され、前記第一滑り接続筐体に滑り接続台が可動なように結合し取り付けられ、前記滑り接続台の前側端面に容置筐体が設置され、前記容置筐体の後側内壁に前記滑り接続台の後側端面を通り抜ける第一通筐体が設置され、前記容置筐体の左右両側の内壁に前記滑り接続台の左右両側の端面を通り抜ける第二通筐体が設置され、前記第一通筐体の左右両側の前記滑り接続台の後側端面に第一押しばねが固定的に取り付けられ、前記第一押しばねの後側端面は前記第一滑り接続筐体の後側壁と固定的に接続され、前記第一滑り接続筐体の後側内壁に前記第一通筐体と対応する信号輸送筐体が設置され、前記信号輸送筐体の左右両側の内壁に対称的に第二滑り接続筐体が設置され、前記第二滑り接続筐体にバッフルが可動なように結合し取り付けられ、前記第二滑り接続筐体の後側内壁に伝導筐体が設置され、前記伝導筐体に伝導ブロックが可動なように結合し取り付けられ、前記伝導ブロックの外側端面の前記伝導筐体に第二押しばねが押圧するように結合し取り付けられ、前記第二滑り接続筐体の外側内壁に後に拡張し設置される制限筐体が設置され、前記制限筐体に引掛りブロックが可動なように結合し取り付けられ、前記引掛りブロックの前側端面にプーリーが回転可能なように結合し取り付けられ、前記バッフルの右側端面にケーブルが固定的に取り付けられ、前記ケーブルが前記プーリーを迂回し前記引掛りブロックの前側端面と固定的に接続し、前記滑り接続台の後側端面に前記制限筐体と対応して設置される押し滑り軸が固定的に取り付けられ、前記第一滑り接続筐体の左右両側の壁に対称的にロック装置が設置され、前記モニターの後側端面に前記容置筐体と嵌合するように結合し接続されるプラグが固定的に取り付けられ、前記プラグの左右両側に前記第二通筐体と対応して設置されるロック穴が対称的に設置され、前記プラグの後側端面に信号輸送端が固定的に取り付けられ、前記プラグの後側端面の前記信号輸送端が前記第一通筐体と対応して設置され、前記ロック装置は前記第一滑り接続筐体の左右両側の内壁に左右に対称的に設置され後に拡張し設置される第三滑り接続筐体を含み、前記第三滑り接続筐体に滑り接続板が可動なように結合し取り付けられ、前記滑り接続板の内側端面の前側位置に前記第二通筐体と対応して設置されるロックブロックが設置され、前記第一滑り接続筐体の後側の前記滑り接続板にスクリューがねじで結合し取り付けられ、前記スクリューの外側拡張末端が前記第三滑り接続筐体の外側内壁と回転可能なように結合し接続し、前記スクリューの内側拡張段が前記取付軸組の内壁体の隙間と結合し接続され末端に電気回転機械が動力が伝達可能なように結合し取り付けられ、前記電気回転機械が前記取付軸組の内壁体に固定的に取り付けられ、前記滑り接続台の後側端面には規制機が固定に取り付けられ、前記第一滑り接続筐体の後側内壁には前記規制機と相対に設置されるフルートが設置され、前記フルートが前記電気回転機械と電気的に接続され、前記プラグの後側端面の周りに斜辺面が設置され、前記電気回転機械の左右両側の前記スクリューがねじで逆に設置され、
使用者が前記モニターを前記容置筐体の中に押し入れ、そして引き続き前記滑り接続台を押して前記第一滑り接続筐体の中で上昇させ、この過程中に、前記滑り接続台は引き続き前記押し滑り軸の上昇を連動させ、この時、前記押し滑り軸の上端は前記カードブロックを前記制限筐体で上昇連動させ、さらに両側の前記ケーブルによって両側の前記バッフルを引き動かし、それぞれ左右に移動させ、前記滑り接続台が限界まで上昇した時に、前記信号輸送端の上端は前記信号輸送筐体の中に入り、そして前記規制機が前記フルートに当接した時に前記電気回転機械は前記スクリューを回転連動させ、さらに両側の前記スクリューと前記ロックブロックを前記第一滑り接続筐体の片側に向かって移動連動させ、さらに前記ロックブロックを前記第二通筐体の中に引っ掛らせ、さらに前記滑り接続台の移動を制限することを特徴とする家庭監視セキュリティ設備。
【手続補正２】
【補正対象書類名】明細書
【補正対象項目名】全文
【補正方法】変更
【補正の内容】
【発明の詳細な説明】
【技術分野】
【０００１】
本発明はセキュリティ設備の分野に関し、家庭監視セキュリティ設備である。
【背景技術】
【０００２】
現在の家庭用モニターの取り付けステップが複雑で、取り外しメンテナンスが不便である。
【先行技術文献】
【特許文献】
【０００３】
【特許文献１】中国特許出願公開第１０３２２６３３８号明細書
【発明の概要】
【発明が解決しようとする課題】
【０００４】
本発明は解決する必要な技術問題に対して家庭監視セキュリティ設備を提供し、それは上記の現在の技術の問題を解決できる。
【０００５】
本発明は以下の技術方案を通じて実現する。本発明の家庭監視セキュリティ設備は壁に固定的に取り付けられる取付軸組と前記取付軸組と嵌合するように結合し接続されるモニターを含み、前記取付軸組の前側端面に第一滑り接続筐体が設置され、前記第一滑り接続筐体に滑り接続台が可動なように結合し取り付けられ、前記滑り接続台の前側端面に容置筐体が設置され、前記容置筐体の後側内壁に前記滑り接続台の後側端面を通り抜ける第一通筐体が設置され、前記容置筐体の左右両側の内壁に前記滑り接続台の左右両側の端面を通り抜ける第二通筐体が設置され、前記第一通筐体の左右両側の前記滑り接続台の後側端面に第一押しばねが固定的に取り付けられ、前記第一押しばねの後側端面は前記第一滑り接続筐体の後側壁と固定的に接続され、前記第一滑り接続筐体の後側内壁に前記第一通筐体と対応する信号輸送筐体が設置され、前記信号輸送筐体の左右両側の内壁に対称的に第二滑り接続筐体が設置され、前記第二滑り接続筐体にバッフルが可動なように結合し取り付けられ、前記第二滑り接続筐体の後側内壁に伝導筐体が設置され、前記伝導筐体に伝導ブロックが可動なように結合し取り付けられ、前記伝導ブロックの外側端面の前記伝導筐体に第二押しばねが押圧するように結合し取り付けられ、前記第二滑り接続筐体の外側内壁に後に拡張し設置される制限筐体が設置され、前記制限筐体に引掛りブロックが可動なように結合し取り付けられ、前記引掛りブロックの前側端面にプーリーが回転可能なように結合し取り付けられ、前記バッフルの右側端面にケーブルが固定的に取り付けられ、前記ケーブルが前記プーリーを迂回し前記引掛りブロックの前側端面と固定的に接続し、前記滑り接続の後側端面に前記制限筐体と対応して設置される押し滑り軸が固定的に取り付けられ、前記第一滑り接続筐体の左右両側の壁に対称的にロック装置が設置され、前記モニターの後側端面に前記容置筐体と嵌合するように結合し接続されるプラグが固定的に取り付けられ、前記プラグの左右両側に前記第二通筐体と対応して設置されるロック穴が対称的に設置され、前記プラグの後側端面に信号輸送端が固定的に取り付けられ、前記プラグの後側端面の前記信号輸送端が前記第一通筐体と対応して設置する。
【０００６】
好ましい技術方案として前記ロック装置は前記第一滑り接続筐体の左右両側の内壁に左右に対称的に設置され後に拡張し設置される第三滑り接続筐体を含み、前記第三滑り接続筐体に滑り接続板が可動なように結合し取り付けられ、前記滑り接続板の内側端面の前側位置に前記第二通筐体と対応して設置されるロックブロックが設置され、前記第一滑り接続筐体の後側の前記滑り接続板にスクリューがねじで結合し取り付けられ、前記スクリューの外側拡張末端が前記第三滑り接続筐体の外側内壁と回転可能なように結合し接続し、前記スクリューの内側拡張段が前記取付軸組の内壁体の隙間と結合し接続され末端に電気回転機械が動力が伝達可能なように結合し取り付けられ、前記電気回転機械が前記取付軸組の内壁体に固定的に取り付けられる。
【０００７】
好ましい技術方案として前記滑り接続台の後側端面に規制機が固定的に取り付けられ、前記第一滑り接続筐体の後側内壁に前記規制機と対応して設置されるフルートが設置され、前記滑り接続台の後側端面には規制機が固定に取り付けられ、前記第一滑り接続筐体の後側内壁には前記規制機と相対に設置されるフルートが設置され、前記フルートが前記電気回転機械と電気的に接続する。
【０００８】
好ましい技術方案として前記プラグの後側端面の周りに斜辺面が設置される。
【０００９】
好ましい技術方案として前記電気回転機械の左右両側の前記スクリューがねじで逆に設置される。
【発明の効果】
【００１０】
本発明の構造が簡単で、操作が便利で、モニターを容置筐体にしっかりロックでき、意外なタッチでデータの受信と輸送を中断することを防ぎ、モニターの使用安全性と安定性を有効的に高めて、また自動ロックを通じて使用の便利性を大きく増やして、モニターを引き抜く時、信号輸送筐体が自動的に閉じて、ほこりと水が信号輸送筐体に入ることを防ぐ。
【図面の簡単な説明】
【００１１】
【図１】図１は本発明の容置筐体の内部全体構造概略図である。
【図２】図２は本発明のモニター内部全体構造概略図である。
【図３】図３は図１の中のＡ所の拡大構造概略図である。
【図４】図４は図１の中の底面構造概略図である。
【発明を実施するための形態】
【００１２】
説明しやすいため、本発明は以下の具体的な実施例と図面を交え詳しく説明する。
【００１３】
図１−図４のように、本発明の家庭監視セキュリティ設備は壁３００に固定的に取り付けられる取付軸組１００と前記取付軸組１００と嵌合するように結合し接続されるモニター２００を含み、前記取付軸組１００の前側端面に第一滑り接続筐体１２２が設置され、前記第一滑り接続筐体１２２に滑り接続台１１８が可動なように結合し取り付けられて、前記滑り接続台１１８の前側端面に容置筐体１１６が設置され、前記容置筐体１１６の後側内壁に前記滑り接続台１１８の後側端面を通り抜ける第一通筐体１１７が設置され、前記容置筐体１１６の左右両側の内壁に前記滑り接続台１１８の左右両側の端面を通り抜ける第二通筐体１１５が設置され、前記第一通筐体１１７の左右両側の前記滑り接続台１１８の後側端面に第一押しばね１４７が固定的に取り付けられ、前記第一押しばね１４７の後側端面は前記第一滑り接続筐体１２２の後側壁と固定的に接続され、前記第一滑り接続筐体１２２の後側内壁に前記第一通筐体１１７と対応する信号輸送筐体１３２が設置され、前記信号輸送筐体１３２の左右両側の内壁に対称的に第二滑り接続筐体１４５が設置され、前記第二滑り接続筐体１４５にバッフル１３１が可動なように結合し取り付けられ、前記第二滑り接続筐体１４５の後側内壁に伝導筐体１３４が設置され、前記伝導筐体１３４に伝導ブロック１３３が可動なように結合し取り付けられ、前記伝導ブロック１３３の外側端面の前記伝導筐体１３４に第二押しばね１３５が押圧するように結合し取り付けられ、前記第二滑り接続筐体１４５の外側内壁に後に拡張し設置される制限筐体１４１が設置され、前記制限筐体１４１に引掛りブロック１４２が可動なように結合し取り付けられ、前記引掛りブロック１４２の前側端面にプーリー１３４が回転可能なように結合し取り付けられ、前記バッフル１３１の右側端面にケーブル１４４が固定的に取り付けられ、前記ケーブル１４４が前記プーリー１３４を迂回し前記引掛りブロック１４２の前側端面と固定的に接続し、前記滑り接続台１１８の後側端面に前記制限筐体１４１と対応して設置される押し滑り軸１４６が固定的に取り付けられ、前記第一滑り接続筐体１２２の左右両側の壁に対称的にロック装置が設置され、前記モニター２００の後側端面に前記容置筐体１１６と嵌合するように結合し接続されるプラグ２１３が固定的に取り付けられ、前記プラグ２１３の左右両側に前記第二通筐体１１５と対応して設置されるロック穴２１１が対称的に設置され、前記プラグ２１３の後側端面に信号輸送端２１２が固定的に取り付けられ、前記プラグ２１３の後側端面の前記信号輸送端２１２が前記第一通筐体１１７と対応して設置する。
【００１４】
好ましくは前記ロック装置は前記第一滑り接続筐体１２２の左右両側の内壁に左右に対称的に設置され後に拡張し設置される第三滑り接続筐体１１３を含み、前記第三滑り接続筐体１１３に滑り接続板１１２が可動なように結合し取り付けられ、前記滑り接続板１１２の内側端面の前側位置に前記第二通筐体１１５と対応して設置されるロックブロック１１４が設置され、前記第一滑り接続筐体１２２の後側の前記滑り接続板１１２にスクリュー１１１がねじで結合し取り付けられ、前記スクリュー１１１の外側拡張末端が前記第三滑り接続筐体１１３の外側内壁と回転可能なように結合し接続し、前記スクリュー１１１の内側拡張段が前記取付軸組１００の内壁体の隙間と結合し接続され末端に電気回転機械１２４が動力が伝達可能なように結合し取り付けられ、前記電気回転機械１２４が前記取付軸組１００の内壁体に固定的に取り付けられ、これにより自動的に前記モニター２００をしっかりロックする。
【００１５】
好ましくは前記滑り接続台１１８の後側端面に規制機１２１が固定的に取り付けられ、前記第一滑り接続筐体１２２の後側内壁に前記規制機１２１と対応して設置されるフルート１２３が設置され、前記滑り接続台１１８の後側端面には規制機１２１が固定に取り付けられ、前記第一滑り接続筐体１２２の後側内壁には前記規制機１２１と相対に設置されるフルート１２３が設置され、前記フルート１２３が前記電気回転機械１２４と電気的に接続し、これにより前記規制機１２１が前記フルート１２３に入った後自動的に前記電気回転機械１２４を起動する。
【００１６】
好ましくは前記プラグ２１３の後側端面の周りに斜辺面２１４が設置され、これによりプラグ２１３が前記容置筐体１１６の中に挿し込むことが便利である。
【００１７】
好ましくは前記電気回転機械１２４の左右両側の前記スクリュー１１１がねじで逆に設置され、これにより前記滑り接続板１１２を同時に内また外にスライドすることを制御する。
【００１８】
使用者が前記モニター２００を前記容置筐体１１６の中に押し入れ、そして引き続き前記滑り接続台１１８を押して前記第一滑り接続筐体１２２の中で上昇させ、この過程中に、前記滑り接続台１１８は引き続き前記押し滑り軸１４６の上昇を連動させ、この時、前記押し滑り軸１４６の上端は前記カードブロック１４２を前記制限筐体１４１で上昇連動させ、さらに両側の前記ケーブル１４４によって両側の前記バッフル１３１を引き動かし、それぞれ左右に移動させ、前記滑り接続台１１８が限界まで上昇した時に、前記信号輸送端２１２の上端は前記信号輸送筐体１３２の中に入り、そして前記規制機１２１が前記フルート１２３に当接した時に前記電気回転機械１２４は前記スクリュー１１１を回転連動させ、さらに両側の前記スクリュー１１１と前記ロックブロック１１４を前記第一滑り接続筐体１２２の片側に向かって移動連動させ、さらに前記ロックブロック１１４を前記第二通筐体１１５の中に引っ掛らせ、さらに前記滑り接続台１１８の移動を制限し、前記信号輸送端２１２と前記信号輸送筐体１３２とが連結した時に、家庭監視セキュリティ設備はデータ伝達が可能となる。
【００１９】
本発明の有益な効果は、構造が簡単で、操作が便利で、モニターを容置筐体にしっかりロックでき、意外なタッチでデータの受信と輸送を中断することを防ぎ、モニターの使用安全性と安定性を有効的に高めて、また自動ロックを通じて使用の便利性を大きく増やして、モニターを引き抜く時、信号輸送筐体が自動的に閉じて、ほこりと水が信号輸送筐体に入ることを防ぐ。
【００２０】
以上、本発明の具体的な実施方式についてのみ説明したが、本発明の保護範囲はこれに限定されるものではなく、いかなる創造性労働によらない考えられた変化や交替は、全て本発明の保護範囲の中に属する。したがって、本発明の保護範囲は特許請求の範囲に規定されている保護範囲を基準としなければならない。